【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】  走行機体の後部に主フレームが着脱可能に連結され、該主フレームに走行機体から動力を受け、主フレームから接離可能のクラッチを介して動力伝達され、元畦の一部及び圃場を耕耘して元畦側に畦状に盛り上げる前処理体、及びこの前処理体により耕耘された土壌を回転しながら畦に成形するドラムからなる整畦体を、主フレームに対して左右一側にオフセットして前記クラッチが接続される作業位置と、主フレームの後方に移動してクラッチの接続が解除される非作業位置とに移動可能に支持した畦塗り機において、
前記主フレームに対して前処理体及び整畦体を、リンク状の１本のスイングアームと、主フレーム側に固定された案内板に形成したガイド孔に沿って移動するよう前処理体及び整畦体側のクラッチを設けた伝動ケースに突設したガイドピンとにより、作業位置と非作業位置とに移動可能に支持し、前記ガイド孔に、作業位置に移動したとき主フレーム側のクラッチに前処理体及び整畦体側クラッチを対向接近させる弯曲部を形成したことを特徴とする畦塗り機。
【請求項２】  前記前処理体及び整畦体を作業位置から非作業位置へ、あるいは非作業位置から作業位置へ移動させるとき、スイングアームの円弧運動を
ガイド孔によりガイドピンの移動を規制することにより、主フレームに対して前
処理体及び整畦体をほぼ平行移動させるようにしたことを特徴とする請求項１記
載の畦塗り機。
【手続補正２】
【補正対象書類名】明細書
【補正対象項目名】０００３
【補正方法】変更
【補正の内容】
【０００３】
【発明が解決しようとする課題】
上記先行技術のものは、前処理体及び整畦体を作業位置から非作業位置へ、あるいは非作業位置から作業位置へ移動させるとき、前処理体及び整畦体は平行リンクにより円弧運動して移動するので、主フレーム側のクラッチに対し前処理体及び整畦体側のクラッチが左右方向から移動して接続し、あるいは接続解除が行われることになることから、クラッチの嵌合角度が良くなかった。このため、前処理体及び整畦体側のクラッチに、レバー等により前後方向に摺動可能の機構を設けて、一旦クラッチの接合を解除し、その後、再度クラッチを接続、接続解除操作しなければならない、という問題点があった。
本発明は、このような問題点を解決することを目的になされたものである。
【手続補正３】
【補正対象書類名】明細書
【補正対象項目名】０００４
【補正方法】変更
【補正の内容】
【０００４】
【課題を解決するための手段】
上記の目的を達成するために本発明は、以下の構成を特徴としている。
Ａ．走行機体の後部に主フレームが着脱可能に連結され、該主フレームに走行機体から動力を受け、主フレームから接離可能のクラッチを介して動力伝達され、元畦の一部及び圃場を耕耘して元畦側に畦状に盛り上げる前処理体、及びこの前処理体により耕耘された土壌を回転しながら畦に成形するドラムからなる整畦体を、主フレームに対して左右一側にオフセットして前記クラッチが接続される作業位置と、主フレームの後方に移動してクラッチの接続が解除される非作業位置とに移動可能に支持した畦塗り機において、前記主フレームに対して前処理体及び整畦体を、リンク状の１本のスイングアームと、主フレーム側に固定された案内板に形成したガイド孔に沿って移動するよう前処理体及び整畦体側のクラッチを設けた伝動ケースに突設したガイドピンとにより、作業位置と非作業位置とに移動可能に支持し、前記ガイド孔に、作業位置に移動したとき主フレーム側のクラッチに前処理体及び整畦体側クラッチを対向接近させる弯曲部を形成した。
【手続補正４】
【補正対象書類名】明細書
【補正対象項目名】０００５
【補正方法】変更
【補正の内容】
【０００５】
Ｂ．前記前処理体及び整畦体を作業位置から非作業位置へ、あるいは非作業位置から作業位置へ移動させるとき、スイングアームの円弧運動をガイド孔によりガイドピンの移動を規制することにより、主フレームに対して前処理体及び整畦体をほぼ平行移動させるようにした。
【手続補正５】
【補正対象書類名】明細書
【補正対象項目名】０００６
【補正方法】変更
【補正の内容】
【０００６】
【作用】
上記Ａ．及びＢ．の構成により本発明の畦塗り機は、主フレームに対して前処理体及び整畦体を作業位置と非作業位置とに移動するとき、スイングアームとガイド孔に沿って移動するガイドピンとにより移動し、非作業位置から作業位置に移動させたときには主フレーム側のクラッチと前処理体及び整畦体側のクラッチが対向接近するので、クラッチの接続が簡単、かつ容易に行われる。また、作業位置から非作業位置に移動するときは、クラッチは簡単、かつ容易に離脱する。さらに、作業位置から非作業位置へ、あるいは非作業位置から作業位置へ移動させるときは、主フレームに対して前処理体及び整畦体がほぼ平行移動して、安定した切り換えが行われる。
【手続補正６】
【補正対象書類名】明細書
【補正対象項目名】０００８
【補正方法】変更
【補正の内容】
【０００８】
主フレーム２の後方に、元畦の一部及び圃場を耕耘して元畦側に畦状に盛り上げるロータリ作業機からなる前処理体６、及びこの前処理体６により耕耘された土壌を回転しながら畦に成形する多角面体ドラムからなる整畦体７を配設している。そして、前処理体６及び整畦体７は、主フレーム２との間に介装したリンク状の１本のスイングアーム８と、主フレーム２側に固定された案内板９に形成したガイド孔１０に沿って移動するよう前処理体６及び整畦体７側のクラッチ１３を設けた伝動ケース１５に突設したガイドピン１４とにより、主フレーム２に対して左右一側にオフセットして主フレーム２側のクラッチ１２と前処理体６及び整畦体７側のクラッチ１３が接続される作業位置と、主フレーム２の後方に移動してクラッチ１２，１３の接続が解除される非作業位置とに移動可能に支持され、シリンダ機構１１の伸縮により移動するようにしている。前記ガイド孔１０には、作業位置に移動したとき主フレーム２側のクラッチ１２に前処理体６及び整畦体７側のクラッチ１３を対向接近させる弯曲部を形成している。
【手続補正７】
【補正対象書類名】明細書
【補正対象項目名】００１２
【補正方法】変更
【補正の内容】
【００１２】
前処理体６及び整畦体７が作業を行わずに、路上走行するときや収納するときには、クラッチ１２，１３の接合を解除して、シリンダ機構１１を伸長させることにより、前処理体６及び整畦体７は、図２に示すように、主フレーム２の後方に、かつ主フレーム２の幅とほぼ等しくなる。従って、トラクタに畦塗り機１を連結した状態で路上を安定して、安全に走行することができる。また、前処理体６及び整畦体７の作業位置から非作業位置へ、あるいは非作業位置から作業位置への切り換えは、極めて簡単であり、かつ短時間で行える。
【手続補正８】
【補正対象書類名】明細書
【補正対象項目名】００１４
【補正方法】変更
【補正の内容】
【００１４】
(1)．主フレームに対して前処理体及び整畦体を、リンク状の１本のスイングアームと、主フレーム側に固定された案内板に形成したガイド孔に沿って移動するよう前処理体及び整畦体側のクラッチを設けた伝動ケースに突設したガイドピンとにより、作業位置と非作業位置とに移動可能に支持し、前記ガイド孔に、作業位置に移動したとき主フレーム側のクラッチに前処理体及び整畦体側クラッチを対向接近させる弯曲部を形成したので、主フレームに対して前処理体及び整畦体を作業位置と非作業位置とに移動するとき、スイングアームとガイド孔に沿って移動するガイドピンとにより移動し、非作業位置から作業位置に移動させたときには主フレーム側のクラッチと前処理体及び整畦体側のクラッチが対向接近し、クラッチの接続が簡単、かつ容易に行われる。また、前処理体及び整畦体が作業位置から非作業位置に移動するときには、クラッチを簡単、かつ容易に離脱させることができる。
【手続補正９】
【補正対象書類名】明細書
【補正対象項目名】００１５
【補正方法】変更
【補正の内容】
【００１５】
(2)．前処理体及び整畦体を作業位置から非作業位置へ、あるいは非作業位置から作業位置へ移動させるとき、スイングアームの円弧運動をガイド孔によりガイドピンの移動を規制することにより、主フレームに対して前処理体及び整畦体をほぼ平行移動させるようにしたので、作業位置から非作業位置へ、あるいは非作業位置から作業位置へ移動させるときは、主フレームに対して前処理体及び整畦体がほぼ平行移動して、安定した切り換えを行うことができる。